(57)【要約】【課題】  携帯情報端末の使用状況に応じて適切に操作環境を変更することが可能な携帯情報システムおよび携帯情報端末を提供する。【解決手段】  携帯情報端末１００および携帯情報端末１００を設置するクレイドル１０１からなる携帯情報システムであって、携帯情報端末１００は、画像データに基づいて画像を表示する表示部１５と、携帯情報端末１００の表示部１５と同じ面におけるユーザの操作を検出する前面センサ部１１と、携帯情報端末１００の表示部１５の反対側の面である背面におけるユーザの操作を検出する背面センサ部１２と、クレイドル１０１との接続状態を検出する接続状態検出部１６と、接続状態に基づいて表示部１５と同じ面における操作または背面における操作のいずれかを有効にする制御部１４とを備える。【選択図】        図２
2006157434.tif 000002
【特許請求の範囲】
【請求項１】
携帯情報端末および前記携帯情報端末を設置する台からなる携帯情報システムであって、
前記携帯情報端末は、
画像データに基づいて画像を表示する表示部と、
前記携帯情報端末の前記表示部と同じ面におけるユーザの操作を検出する前面センサ部と、
前記携帯情報端末の前記表示部の反対側の面である背面におけるユーザの操作を検出する背面センサ部と、
前記台との接続状態を検出する接続状態検出部と、
前記接続状態に基づいて前記表示部と同じ面における操作または前記背面における操作のいずれかを有効にする制御部とを備える携帯情報システム。
【請求項２】
前記制御部は、前記携帯情報端末が前記台に接続されている場合には前記表示部と同じ面における操作を選択し、前記携帯情報端末が前記台に接続されていない場合には前記背面における操作を有効にする請求項１記載の携帯情報システム。
【請求項３】
前記制御部は、前記携帯情報端末が前記台に接続されていない場合であって、前記背面における操作が所定の期間なかったときには前記表示部と同じ面における操作を有効にする請求項１記載の携帯情報システム。
【請求項４】
前記制御部は、前記背面における操作を有効にする場合には、前記背面においてユーザが指し示した位置を表わすポインタの画像データを前記表示部に出力する請求項１記載の携帯情報システム。
【請求項５】
前記台は、前記携帯情報端末の充電を行なうために前記携帯情報端末に電圧を供給し、
前記接続状態検出部は、前記電圧の供給の有無によって前記台との接続状態を検出する請求項１記載の携帯情報システム。
【請求項６】
画像データに基づいて画像を表示する表示部と、
前記携帯情報端末の前記表示部と同じ面におけるユーザの操作を検出する前面センサ部と、
前記携帯情報端末の前記表示部の反対側の面である背面におけるユーザの操作を検出する背面センサ部と、
前記携帯情報端末を設置する台との接続状態を検出する接続状態検出部と、
前記接続状態に基づいて前記表示部と同じ面における操作または前記背面における操作のいずれかを有効にする制御部とを備える携帯情報端末。
【請求項７】
前記制御部は、前記携帯情報端末が前記台に接続されている場合には前記表示部と同じ面における操作を選択し、前記携帯情報端末が前記台に接続されていない場合には前記背面における操作を有効にする請求項６記載の携帯情報端末。
【請求項８】
前記制御部は、前記携帯情報端末が前記台に接続されていない場合であって、前記背面における操作が所定の期間なかったときには前記表示部と同じ面における操作を有効にする請求項６記載の携帯情報端末。
【請求項９】
前記制御部は、前記背面における操作を有効にする場合には、前記背面においてユーザが指し示した位置を表わすポインタの画像データを前記表示部に出力する請求項６記載の携帯情報端末。
【請求項１０】
前記台は、前記携帯情報端末の充電を行なうために前記携帯情報端末に電圧を供給し、
前記接続状態検出部は、前記電圧の供給の有無によって前記台との接続状態を検出する請求項６記載の携帯情報端末。
【発明の詳細な説明】
【技術分野】
【０００１】
本発明は、携帯情報システムおよび携帯情報端末に関し、特に、携帯情報端末および携帯情報端末を設置する台からなる携帯情報システムならびに台から取り外して持ち運び可能な携帯情報端末に関する。
【背景技術】
【０００２】
近年、テレビ放送や映画等の番組を録画して記憶媒体に保存し、屋外に携帯して視聴することができる携帯情報端末の開発が進められている。このような携帯情報端末では、画面のサイズをできるだけ大きくして視覚性を向上させる要望がある。また、このような携帯情報端末では、移動時の操作性を向上させる要望がある。
【０００３】
特許文献１記載の情報処理装置およびポインティング装置では、ディスプレイの裏面側に配置されたタブレットと、ディスプレイの側面がわに配置された選択スイッチとを組み合わせてディスプレイ上の入力ツールを操作する。このような構成により、位置検出部と表示部とが異なる面に配置されて視覚性が向上する。また、情報処理装置を片手で操作する場合に、入力ツールの移動とクリックの動作とを情報処理装置を持ち替えたりすることなく容易に行なうことができ、操作性を向上させることができる。
【特許文献１】特開平１１−３９０９３号公報
【発明の開示】
【発明が解決しようとする課題】
【０００４】
ところで、携帯情報端末には屋外に携帯して視聴する用途だけでなく、屋内でクレイドルと呼ばれる台に設置して視聴する用途がある。クレイドルには、一般に、携帯情報端末を充電する役割および録画した番組のデータを携帯情報端末に転送する役割がある。携帯情報端末をクレイドルに設置して番組を視聴する際には、通常、ユーザは携帯情報端末のディスプレイと向かい合っている状態である。
【０００５】
しかしながら、特許文献１記載の情報処理装置およびポインティング装置では、ユーザからの操作を入力する位置検出部はディスプレイの裏側に配置されているために、携帯情報端末をクレイドルに設置して番組を視聴する場合には、ユーザが番組の視聴を中断して携帯情報端末の裏側に移動するかまたは携帯情報端末を裏返して操作を行なう必要がある。したがって、携帯情報端末をクレイドルに設置して番組を視聴する際の操作性が悪いという問題点があった。
【０００６】
それゆえに、本発明の目的は、携帯情報端末の使用状況に応じて適切に操作環境を変更することが可能な携帯情報システムおよび携帯情報端末を提供することである。
【課題を解決するための手段】
【０００７】
上記課題を解決するために、この発明のある局面に係わる携帯情報システムは、携帯情報端末および携帯情報端末を設置する台からなる携帯情報システムであって、携帯情報端末は、画像データに基づいて画像を表示する表示部と、携帯情報端末の表示部と同じ面におけるユーザの操作を検出する前面センサ部と、携帯情報端末の表示部の反対側の面である背面におけるユーザの操作を検出する背面センサ部と、台との接続状態を検出する接続状態検出部と、接続状態に基づいて表示部と同じ面における操作または背面における操作のいずれかを有効にする制御部とを備える。
【０００８】
好ましくは、制御部は、携帯情報端末が台に接続されている場合には表示部と同じ面における操作を選択し、携帯情報端末が台に接続されていない場合には背面における操作を有効にする。
【０００９】
好ましくは、制御部は、携帯情報端末が台に接続されていない場合であって、背面における操作が所定の期間なかったときには表示部と同じ面における操作を有効にする。
【００１０】
好ましくは、制御部は、背面における操作を有効にする場合には、背面においてユーザが指し示した位置を表わすポインタの画像データを表示部に出力する。
【００１１】
好ましくは、台は、携帯情報端末の充電を行なうために携帯情報端末に電圧を供給し、接続状態検出部は、電圧の供給の有無によって台との接続状態を検出する。
【００１２】
上記課題を解決するために、この発明のある局面に係わる携帯情報端末は、画像データに基づいて画像を表示する表示部と、携帯情報端末の表示部と同じ面におけるユーザの操作を検出する前面センサ部と、携帯情報端末の表示部の反対側の面である背面におけるユーザの操作を検出する背面センサ部と、携帯情報端末を設置する台との接続状態を検出する接続状態検出部と、接続状態に基づいて表示部と同じ面における操作または背面における操作のいずれかを有効にする制御部とを備える。
【００１３】
好ましくは、制御部は、携帯情報端末が台に接続されている場合には表示部と同じ面における操作を選択し、携帯情報端末が台に接続されていない場合には背面における操作を有効にする。
【００１４】
好ましくは、制御部は、携帯情報端末が台に接続されていない場合であって、背面における操作が所定の期間なかったときには表示部と同じ面における操作を有効にする。
【００１５】
好ましくは、制御部は、背面における操作を有効にする場合には、背面においてユーザが指し示した位置を表わすポインタの画像データを表示部に出力する。
【００１６】
好ましくは、台は、携帯情報端末の充電を行なうために携帯情報端末に電圧を供給し、接続状態検出部は、電圧の供給の有無によって台との接続状態を検出する。
【発明の効果】
【００１７】
本発明によれば、携帯情報端末の使用状況に応じて適切に操作環境を変更することができる。
【発明を実施するための最良の形態】
【００１８】
以下、本発明の実施の形態について図面を用いて説明する。
【００１９】
図１（ａ）は、本発明の実施の形態に係る携帯情報システムにおける携帯情報端末（ビューワ）の概略図である。図１（ｂ）は、本発明の実施の形態に係る携帯情報システムにおけるクレイドルの概略図である。
【００２０】
本発明の実施の形態に係る携帯情報システムは、携帯情報端末１００およびクレイドル１０１を備える。
【００２１】
携帯情報端末１００は、前面パネル１と、背面パネル２とを備える。携帯情報端末１００は、クレイドル１０１と着脱可能である。
【００２２】
前面パネル１はディスプレイとしての機能を有し、動画像である映像および静止画像が表示される。また、前面パネル１はタッチパネルとしての機能を有し、ユーザが携帯情報端末１００の操作を行なう部分である。ここで、タッチパネルとは、ユーザの指が触れた位置を検出してディスプレイ上の位置を指定することにより、携帯情報端末１００に指示を与える装置である。
【００２３】
背面パネル２はタッチパネルとしての機能を有し、ユーザが携帯情報端末１００の操作を行なう部分である。
【００２４】
クレイドル１０１は、携帯情報端末１００と電気的に接続されると、携帯情報端末１００へ電圧を供給して携帯情報端末１００の充電を行なう。
【００２５】
図２は、本発明の実施の形態に係る携帯情報システムの機能ブロック図である。
【００２６】
同図を参照して、携帯情報端末１００は、さらに、入力切替部１３と、制御部１４と、接続状態検出部１６と、充電池部１７とを備える。
【００２７】
また、図１で示した前面パネル１は図２における前面センサ部１１と、表示部１５とを含む。また、図１で示した背面パネル２は図２における背面センサ部１２を含む。
【００２８】
クレイドル１０１は、電源部２１を含む。
【００２９】
電源部２１は、携帯情報端末１００がクレイドル１０１に接続されている場合には、携帯情報端末１００の充電池部１７へ電圧を供給して充電池部１７の充電を行なう。
【００３０】
前面センサ部１１は、前面パネル１におけるユーザの操作を検出し、前面ユーザ操作情報を入力切替部１３に出力する。
【００３１】
背面センサ部１２は、背面パネル２におけるユーザの操作を検出し、背面ユーザ操作情報を入力切替部１３に出力する。
【００３２】
入力切替部１３は、制御部１４から受ける切替命令に基づいて、前面ユーザ操作情報および背面ユーザ操作情報のいずれかを選択して制御部１４へ出力する。
【００３３】
制御部１４は、入力切替部１３から受けた前面ユーザ操作情報または背面ユーザ操作情報のいずれかに基づいて、表示すべき画像を表わす画像データを生成し、表示部１５へ出力する。また、制御部１４は、入力切替部１３から受けた前面ユーザ操作情報または背面ユーザ操作情報のいずれかに基づいて、データ処理および他の機器との通信等、画像データの生成以外の制御も行なう。
【００３４】
表示部１５は、制御部１４から受けた画像データに基づいて画像を表示する。
【００３５】
接続状態検出部１６は、クレイドル１０１の電源部２１から電圧を受けているか否かで携帯情報端末１００およびクレイドル１０１の接続状態を検出し、携帯情報端末１００がクレイドル１０１に接続されているか否かを表わす接続状態情報を制御部１４へ出力する。
【００３６】
ここで、制御部１４は、接続状態検出部１６から接続状態情報を受けて、携帯情報端末１００がクレイドル１０１に接続されている場合には前面ユーザ操作情報を表わす切替命令を入力切替部１３に出力する。また、制御部１４は、携帯情報端末１００がクレイドル１０１に接続されていない場合には背面ユーザ操作情報を表わす切替命令を入力切替部１３に出力する。
【００３７】
図３に本発明の実施の形態に係る携帯情報端末１００をクレイドル１０１から取り外して携帯している状態を示す。
【００３８】
この場合、制御部１４は、接続状態検出部１６がクレイドル１０１の電源部２１から電圧を受けていないため、背面ユーザ操作情報を表わす切替命令を入力切替部１３に出力する。すなわち、制御部１４は背面パネル２におけるユーザの操作を有効にする。したがって、本発明の実施の形態に係る携帯情報システムでは、ユーザは同図に示すように片手で携帯情報端末１００を持ちながら携帯情報端末１００の背面を利用して操作を行ない、前面パネル１がユーザの手で隠れることなく前面パネル１で番組を視聴することができるため、操作性および視覚性の向上を図ることができる。
【００３９】
図４に本発明の実施の形態に係る携帯情報端末１００をクレイドル１０１に設置している状態を示す。
【００４０】
この場合、制御部１４は、携帯情報端末１００がクレイドル１０１に接続されていることから、背面ユーザ操作情報を表わす切替命令を入力切替部１３に出力する。すなわち、制御部１４は前面パネル１におけるユーザの操作を有効にする。したがって、本発明の実施の形態に係る携帯情報システムでは、ユーザは同図に示すように前面パネル１で番組を視聴しながら携帯情報端末１００の前面パネル１を利用して操作を行なうことができるため、操作性および利便性の向上を図ることができる。
【００４１】
そして、制御部１４は、携帯情報端末１００がクレイドル１０１に接続されていることから前面ユーザ操作情報を表わす切替命令を入力切替部１３に出力した後、背面パネル２におけるユーザの操作が所定の期間なかった場合には、前面ユーザ操作情報を表わす切替命令を入力切替部１３に出力する。
【００４２】
したがって、本発明の実施の形態に係る携帯情報システムでは、携帯情報端末１００をクレイドル１０１から取り外して携帯している状態で、机上に置いて使用する場合に、携帯情報端末１００の背面パネル２が利用できず、携帯情報端末１００の操作を行なうことができないという問題を防ぐごとができる。
【００４３】
さらに、制御部１４は、接続状態検出部１６がクレイドル１０１の電源部２１から電圧を受けていない場合には、背面パネル２においてユーザが指し示した位置を表わすポインタ等の画像データを生成し、表示部１５へ出力する。
【００４４】
図５に本発明の実施の形態に係る携帯情報端末１００がクレイドル１０１から取り外して携帯されており、前面パネル１においてポインタが表示されている状態を示す。
【００４５】
同図を参照して、背面パネル２においてユーザが指し示している位置と対応する前面パネル１における位置が、ポインタによって表わされている。
【００４６】
したがって、本発明の実施の形態に係る携帯情報システムでは、携帯情報端末１００の背面を利用して操作している場合でも、ユーザは自分の指の動きをポインタの動きによって把握することができ、操作性の向上を図ることができる。
【００４７】
ところで、特許文献１記載の情報処理装置およびポインティング装置では、携帯情報端末をクレイドルに設置して番組を視聴する際の操作性が悪いという問題点があった。しかしながら、本発明の実施の形態に係る携帯情報端末１００では、接続状態検出部１６が、クレイドル１０１の電源部２１から電圧を受けているか否か、すなわち携帯情報端末１００とクレイドル１０１との接続状態を検出する。そして、携帯情報端末１００とクレイドル１０１とが接続されている場合には、制御部１４が入力切替部１３を介して前面ユーザ操作情報を選択し、前面パネル１におけるユーザの操作を有効にする。したがって、本発明の実施の形態に係る携帯情報システムでは、ユーザは前面パネル１で番組を視聴しながら携帯情報端末１００の前面パネル１を利用して操作を行なうことができるため、操作性および利便性の向上を図ることができる。
【００４８】
さらに、携帯情報端末１００とクレイドル１０１とが接続されていない場合には、制御部１４が入力切替部１３を介して背面ユーザ操作情報を選択し、背面パネル２におけるユーザの操作を有効にする。したがって、本発明の実施の形態に係る携帯情報システムでは、ユーザは片手で携帯情報端末１００を持ちながら携帯情報端末１００の背面を利用して操作を行ない、前面パネル１がユーザの手で隠れることなく前面パネル１で番組を視聴することができるため、操作性および視覚性の向上を図ることができる。
【００４９】
以上より、本発明の実施の形態に係る携帯情報システムでは、携帯情報端末の使用状況に応じて適切に操作環境を変更することができる。
【００５０】
［変形例］
本発明は、上記実施の形態に限定されるものではなく、たとえば以下の変形例も含まれる。
【００５１】
（１）  クレイドル１０１
本発明の実施の形態に係るクレイドル１０１は、携帯情報端末１００と電気的に接続されると、携帯情報端末１００へ電圧を供給して携帯情報端末１００の充電を行なう構成としたが、これに限定するものではない。
【００５２】
携帯情報端末１００を設置する台であればどんなものでもよく、クレイドル１０１が、充電機能ではなく、録画した番組のデータを携帯情報端末１００に転送する機能を有する台であってもよい。
【００５３】
（２）  携帯情報端末１００およびクレイドル１０１の接続状態の検出
本発明の実施の形態に係る携帯情報端末１００では、接続状態検出部１６は、クレイドル１０１の電源部２１から電圧を受けているか否かで携帯情報端末１００およびクレイドル１０１の接続状態を検出する構成としたが、これに限定するものではない。
【００５４】
携帯情報端末１００においてクレイドル１０１との接続状態を検出することができればどのような方法でもよく、例えば、携帯情報端末１００およびクレイドル１０１の接続面が凹凸部を有し、携帯情報端末１００がクレイドル１０１に設置された状態において両者が互いに嵌合し、接続状態検出部１６が両者の嵌合状態、すなわち接続状態を検出する構成とすることができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】（ａ）は、本発明の実施の形態に係る携帯情報システムにおける携帯情報端末（ビューワ）の概略図である。（ｂ）は、本発明の実施の形態に係る携帯情報システムにおけるクレイドルの概略図である。
【図２】本発明の実施の形態に係る携帯情報システムの機能ブロック図である。
【図３】本発明の実施の形態に係る携帯情報端末１００を携帯している状態を示す図である。
【図４】本発明の実施の形態に係る携帯情報端末１００をクレイドル１０１に設置している状態を示す図である。
【図５】前面パネル１においてポインタが表示されている状態を示す図である。
【符号の説明】
【００５７】
１  前面パネル、２  背面パネル、１１  前面センサ部、１２  背面センサ部、１３  入力切替部、１４  制御部、１５  表示部、１６  接続状態検出部、１７  充電池部、２１  電源部、１００  携帯情報端末、１０１  クレイドル。
【図１】
2006157434.tif 000003
【図２】
2006157434.tif 000004
【図３】
2006157434.tif 000005
【図４】
2006157434.tif 000006
【図５】
2006157434.tif 000007